(57)【要約】【課題】複数の原稿にかかる電子読取データを、煩雑な操作を行なうことなく容易にグループ分けすることができる。【解決手段】ヘッダセパレータ５１，原稿５０およびフッタセパレータ５２を積層して構成された読取対象物を、順次、読み取って電子読取データを、順次、生成する読取部３４と、この読取部３４によって生成された電子読取データに基づいて、ヘッダセパレータ５１およびフッタセパレータ５２を識別するセパレータ識別部１１と、このセパレータ識別部１１によってヘッダセパレータ５１として識別された電子読取データと、このヘッダセパレータ５１の識別後に、セパレータ識別部１１によってフッタセパレータ５２として識別された電子読取データとの間において、読取部３４によって読み取られた原稿にかかる電子読取データを、同一のグループとして取り扱う処理部１３とをそなえる。【選択図】図１
2009033484.tif 000002
【特許請求の範囲】
【請求項１】
処理対象の原稿に、当該原稿に先行するようにヘッダセパレータと、当該原稿に後行するようにフッタセパレータとを積層して構成された読取対象物が配置される配置部と、
該配置部に配置された該ヘッダセパレータ，該原稿および該フッタセパレータを、順次、読み取って電子読取データを、順次、生成する読取部と、
該読取部によって生成された該電子読取データに基づいて、ヘッダセパレータおよびフッタセパレータを識別するセパレータ識別部と、
該セパレータ識別部によって該ヘッダセパレータとして識別された該電子読取データと、当該ヘッダセパレータの識別後に、該セパレータ識別部によって該フッタセパレータとして識別された該電子読取データとの間において、該読取部によって読み取られた原稿にかかる該電子読取データを、同一のグループとして取り扱う処理部とをそなえたことを特徴とする、原稿処理システム。
【請求項２】
該ヘッダセパレータおよび該フッタセパレータをそれぞれ識別するための特徴情報をあらかじめ格納する特徴情報保存部をそなえ、
該セパレータ識別部が、該読取部によって生成された該電子読取データと、該セパレータ特徴情報保存部に格納された該特徴情報とに基づいて、該ヘッダセパレータおよび該フッタセパレータを識別することを特徴とする、請求項１記載の原稿処理システム。
【請求項３】
該処理部が、該配置部に該読取対象物が無くなったことを検出し、
読み取られた該読取対象物内に該フッタセパレータが無かったことを検出した後、
該配置部に該読取対象物が配置されたことを検出した場合に、該読取部によって読み取りを実行し、
該読取対象物が無いことを検出した後、該読取部によって読み取って生成された該電子読取データを、該ヘッダセパレータおよび該フッタセパレータに基づいて、１つのグループに結合することを特徴とする、請求項１又は請求項２記載の原稿処理システム。
【請求項４】
前記配置部に、該ヘッダセパレータ，該原稿および該フッタセパレータがそれぞれ複数そなえられ、
該処理部が、該読取部によって生成された該電子読取データを、前記複数のヘッダセパレータ及び前記複数のフッタセパレータに基づいて、複数のグループに分割することを特徴とする、請求項１〜請求項３のいずれか１項に記載の原稿処理システム。
【請求項５】
該読取部によって順次生成された一連の該電子読取データに関する該セパレータ識別部による識別結果に基づいて、該原稿，該ヘッダセパレータおよび該フッタセパレータの登場順序によって該原稿に関する矛盾状態を確認する矛盾チェック部をそなえることを特徴とする、請求項１〜請求項４のいずれか１項に記載の原稿処理システム。
【請求項６】
処理対象の原稿に、当該原稿に先行するようにヘッダセパレータと、当該原稿に後行するようにフッタセパレータとを積層して構成された読取対象物を配置する配置ステップと、
該配置ステップにおいて配置された該ヘッダセパレータ，該原稿および該フッタセパレータを、順次、読み取って、電子読取データを、順次、生成する読取ステップと、
該読取ステップにおいて生成された該電子読取データに基づいて、ヘッダセパレータおよびフッタセパレータを識別するセパレータ識別ステップと、
該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとをそなえたことを特徴とする、原稿処理方法。
【請求項７】
該処理ステップにおいて、該配置ステップにおいて配置された該読取対象物が無くなったことを検出し、
読み取られた該読取対象物内に該フッタセパレータが無かったことを検出した後、
該配置部に該読取対象物が配置されたことを検出した場合に、該読取ステップによる読み取りを実行し、
該読取対象物が無いことを検出した後、該読取ステップにおいて読み取って生成された該電子読取データを、該ヘッダセパレータおよび該フッタセパレータに基づいて、１つのグループに結合することを特徴とする、請求項６記載の原稿処理方法。
【請求項８】
該読取ステップにおいて順次生成された一連の該電子読取データに関する該セパレータ識別ステップにおける識別結果に基づいて、該原稿，該ヘッダセパレータおよび該フッタセパレータの登場順序によって該原稿に関する矛盾状態を確認する矛盾チェックステップをそなえることを特徴とする、請求項６又は請求項７記載の原稿処理方法。
【請求項９】
読取装置を用いて原稿を読み取って、電子読取データとして処理する原稿処理機能をコンピュータに実行させるための原稿処理プログラムであって、
該読取装置を用いて、該原稿に、当該原稿に先行するようにヘッダセパレータと、当該原稿に後行するようにフッタセパレータとを積層して構成された読取対象物を、順次、読み取ることにより、該電子読取データを、順次、生成する読取ステップと、
該読取ステップにおいて生成された該電子読取データに基づいて、ヘッダセパレータおよびフッタセパレータを識別するセパレータ識別ステップと、
該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとを、該コンピュータに実行させることを特徴とする、原稿処理プログラム。
【請求項１０】
該処理ステップを該コンピュータに実行させる際に、該配置ステップにおいて配置された該読取対象物が無くなったことを検出し、
読み取られた該読取対象物内に該フッタセパレータが無かったことを検出した後、
該配置部に該読取対象物が配置されたことを検出した場合に、該読取ステップによる読み取りを実行し、
該読取対象物が無いことを検出した後、該読取ステップにおいて読み取って生成された該電子読取データを、該ヘッダセパレータおよび該フッタセパレータに基づいて、１つのグループに結合するように、該コンピュータに実行させることを特徴とする、請求項９記載の原稿処理プログラム。
【請求項１１】
読取装置を用いて原稿を読み取って、電子読取データとして処理する原稿処理機能をコンピュータに実行させるための原稿処理プログラムを記録したコンピュータ読取可能な記録媒体であって、
該原稿処理プログラムが、
該読取装置を用いて、該原稿に、当該原稿に先行するようにヘッダセパレータと、当該原稿に後行するようにフッタセパレータとを積層して構成された読取対象物を、順次、読み取ることにより、該電子読取データを、順次、生成する読取ステップと、
該読取ステップにおいて生成された該電子読取データに基づいて、ヘッダセパレータおよびフッタセパレータを識別するセパレータ識別ステップと、
該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとを、該コンピュータに実行させることを特徴とする、原稿処理プログラムを記録したコンピュータ読取可能な記録媒体。
【請求項１２】
該原稿処理プログラムが、
該処理ステップを該コンピュータに実行させる際に、該配置ステップにおいて配置された該読取対象物が無くなったことを検出し、
読み取られた該読取対象物内に該フッタセパレータが無かったことを検出した後、
該配置部に該読取対象物が配置されたことを検出した場合に、該読取ステップによる読み取りを実行し、
該読取対象物が無いことを検出した後、該読取ステップにおいて読み取って生成された該電子読取データを、該ヘッダセパレータおよび該フッタセパレータに基づいて、１つのグループに結合するように、該コンピュータに実行させることを特徴とする、請求項１１記載の原稿処理プログラムを記録したコンピュータ読取可能な記録媒体。
【発明の詳細な説明】
【技術分野】
【０００１】
本発明は、スキャナ等の読取装置を用いて原稿を読み取り、電子読取データとして処理する技術に関する。
【背景技術】
【０００２】
図１０は従来の原稿管理システムの構成を模式的に示す図である。
原稿管理システム２００は、原稿を画像データ（電子画像データ）として読み取り、この電子画像データを管理するものであって、図１０に示すように、スキャナ２０１と端末装置２０２とをそなえて構成されている。
スキャナ２０１は、撮像素子をそなえたスキャンユニットをそなえて構成され、原稿をこのスキャンユニットにより読み取り、電子画像データを生成（デジタル静止画像情報化）するものである。
【０００３】
また、スキャナ２０１は、複数の原稿を一度にセット（格納）し、これらの複数の原稿を順次、スキャンユニットに供給可能なＡＤＦ（Automatic Document Feeder；自動原稿送り装置；図示省略）をそなえており、これにより、複数の原稿を順次読み取ることによって大量の原稿の読み取りを容易に行なうことができるようになっている。
端末装置２０２は、スキャナ２０１の操作や制御を行なったり、スキャナ２０１によって生成された電子画像データを保存・編集したり、生成された電子画像データに対してＯＣＲ（Optical Character Recognition；光学文字認識）やレイアウト認識等の処理を行なうものである。
【０００４】
このような構成をそなえた従来の原稿管理システム２００において、スキャナ２０１が原稿の読み取りを行なうことによって電子画像データを生成して、この生成された電子画像データが端末装置２０２に送信され、端末装置２０２において、この送信された電子画像データが管理（電子ファイリング）される。
そして、例えば、１の案件に関する複数の原稿がある場合には、端末装置２０２において、これらの同一の案件にかかる原稿の電子画像データを相互に関連付けて管理することにより、これらの複数の電子画像データをグループ化して取り扱うことができるようになっている。
【０００５】
このような電子画像データのグループ化は、例えば、端末装置２０２において、オペレータが、同一の案件にかかる複数の電子画像データを選択し、同一のグループ（案件）である旨の入力操作を行なうことにより行なわれる。
【特許文献１】特開２００１−６１０２６号公報
【発明の開示】
【発明が解決しようとする課題】
【０００６】
しかしながら、上述の如き従来の原稿管理システム２００においては、複数の電子画像データを案件毎にグループ化させるために、端末装置２０２において、オペレータが、同一のグループとなる電子画像データを選択する等、グループ化のための操作を行なう必要があり煩雑であるという課題がある。
また、例えば、スキャナ２０１のＡＤＦに同一の案件にかかる複数の原稿をまとめてセットして、順次読み込みを行ない、これらのスキャナ２０１によって連続して読み取りが行なわれた複数の原稿にかかる電子画像データを、自動的に同一のグループとして取り扱うことも考えられるが、一般に、スキャナ２０１のＡＤＦに一度にセット可能な原稿の枚数には物理的に限界があるので、１つの案件にかかる全ての原稿（束全量）をスキャナ２０１に一度にセットできるとは限らない。
【０００７】
従って、従来の原稿管理システム２００において、１つの案件にかかる大量の原稿の読み取りを行なう場合には、図１０に示すように、これらの１つの案件にかかる原稿の束を、スキャナ２０１のＡＤＦにセット可能な枚数の複数の束に分割して、これらの束毎にそれぞれ読み取りを行なうことにより各電子画像データの束を生成し、その後、オペレータが、これらの各電子画像データの束を、端末装置２０２を操作して１つに結合する必要があり、このように複数に分割して生成された電子画像データの束を結合する操作が煩雑であるという課題がある。
【０００８】
また、例えば、スキャナ２０１が端末装置２０２と物理的に離れた位置に設置されているような場合には、スキャナ２０１が設置されている場所まで原稿をセットするために行く回数を低減したいという要望がある。
図１１は従来の原稿管理システム２００において複数の案件にかかる原稿をスキャナ２０１によって一度に読み取る例を示す図である。
【０００９】
複数の案件にかかる原稿の読み取りを行なう場合であって、且つ、１つの案件にかかる原稿の枚数が比較的少ない場合には、上述の如くスキャナ２０１に原稿をセットする手間を軽減するために、図１１に示すように、スキャナ２０１のＡＤＦに、これらの複数の案件（図１１に示す例では案件Ａ，Ｂの２つ）にかかる原稿の束をまとめてセットすることが考えられる。
【００１０】
このように、従来の原稿管理システム２００において、複数の案件にかかる原稿をスキャナ２０１のＡＤＦにセットして読み取りを行なう場合には、オペレータが、これらの連続して読み取られた複数の案件にかかる原稿の電子画像データの束を、端末装置２０２を操作して、案件毎の複数の電子画像データの束に分割する必要があり、このように１つの電子画像データの束を複数の電子画像データの束に分割する操作が煩雑であるという課題がある。
【００１１】
また、例えば、上記特許文献１には、予めスキャン文書を分割・結合して文書を再構成する条件を分割／結合設定情報ＤＢに設定しておき、この格納されている条件に基づいて文書を自動的に分割・結合する手法が開示されている。
この特許文献１に示す例においては、例えば、その図４等に示すように、「４ページごとに１文書になるよう分割して登録する」という処理ルールを予め設定しておき、全１０ページの文書スキャンを実行することにより、４ページで構成される文書を２つと２ページで構成される文書を１つ、自動的に生成するようになっている。
【００１２】
しかしながら、このような特許文献１にかかる手法においては、文書を分割・結合するための条件（処理ルール）を予め設定しておく必要があり、このような処理ルールの設定にかかる操作が煩雑であるという課題がある。特に、１つの案件（グループ）を構成する原稿（文書）の枚数がそれぞれ異なるような場合には、その度に処理ルールを設定・変更する必要があり煩雑であり、作業効率が著しく低下する。
【００１３】
本発明は、このような課題に鑑み創案されたもので、複数の原稿にかかる電子読取データを、煩雑な操作を行なうことなく容易にグループ分けすることができるようにすることを目的とする。
【課題を解決するための手段】
【００１４】
このため、本発明の原稿処理システム（請求項１）は、処理対象の原稿に、当該原稿に先行するようにヘッダセパレータと、当該原稿に後行するようにフッタセパレータとを積層して構成された読取対象物が配置される配置部と、該配置部に配置された該ヘッダセパレータ，該原稿および該フッタセパレータを、順次、読み取って電子読取データを、順次、生成する読取部と、該読取部によって生成された該電子読取データに基づいて、ヘッダセパレータおよびフッタセパレータを識別するセパレータ識別部と、該セパレータ識別部によって該ヘッダセパレータとして識別された該電子読取データと、当該ヘッダセパレータの識別後に、該セパレータ識別部によって該フッタセパレータとして識別された該電子読取データとの間において、該読取部によって読み取られた原稿にかかる該電子読取データを、同一のグループとして取り扱う処理部とをそなえたことを特徴としている。
【００１５】
なお、該ヘッダセパレータおよび該フッタセパレータをそれぞれ識別するための特徴情報をあらかじめ格納する特徴情報保存部をそなえ、該セパレータ識別部が、該読取部によって生成された該電子読取データと、該セパレータ特徴情報保存部に格納された該特徴情報とに基づいて、該ヘッダセパレータおよび該フッタセパレータを識別してもよい（請求項２）。
【００１６】
また、該処理部が、該配置部に該読取対象物が無くなったことを検出し、読み取られた該読取対象物内に該フッタセパレータが無かったことを検出した後、該配置部に該読取対象物が配置されたことを検出した場合に、該読取部によって読み取りを実行し、該読取対象物が無いことを検出した後、該読取部によって読み取って生成された該電子読取データを、該ヘッダセパレータおよび該フッタセパレータに基づいて、１つのグループに結合してもよい（請求項３）。
【００１７】
さらに、前記配置部に、該ヘッダセパレータ，該原稿および該フッタセパレータがそれぞれ複数そなえられ、該処理部が、該読取部によって生成された該電子読取データを、前記複数のヘッダセパレータ及び前記複数のフッタセパレータに基づいて、複数のグループに分割してもよい（請求項４）。
またさらに、該読取部によって順次生成された一連の該電子読取データに関する該セパレータ識別部による識別結果に基づいて、該原稿，該ヘッダセパレータおよび該フッタセパレータの登場順序によって該原稿に関する矛盾状態を確認する矛盾チェック部をそなえてもよい（請求項５）。
【００１８】
また、本発明の原稿処理方法（請求項６）は、  処理対象の原稿に、当該原稿に先行するようにヘッダセパレータと、当該原稿に後行するようにフッタセパレータとを積層して構成された読取対象物を配置する配置ステップと、該配置ステップにおいて配置された該ヘッダセパレータ，該原稿および該フッタセパレータを、順次、読み取って、電子読取データを、順次、生成する読取ステップと、該読取ステップにおいて生成された該電子読取データに基づいて、ヘッダセパレータおよびフッタセパレータを識別するセパレータ識別ステップと、該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとをそなえたことを特徴としている。
【００１９】
なお、該処理ステップにおいて、該配置ステップにおいて配置された該読取対象物が無くなったことを検出し、読み取られた該読取対象物内に該フッタセパレータが無かったことを検出した後、該配置部に該読取対象物が配置されたことを検出した場合に、該読取ステップによる読み取りを実行し、該読取対象物が無いことを検出した後、該読取ステップにおいて読み取って生成された該電子読取データを、該ヘッダセパレータおよび該フッタセパレータに基づいて、１つのグループに結合してもよい（請求項７）。
【００２０】
また、該読取ステップにおいて順次生成された一連の該電子読取データに関する該セパレータ識別ステップにおける識別結果に基づいて、該原稿，該ヘッダセパレータおよび該フッタセパレータの登場順序によって該原稿に関する矛盾状態を確認する矛盾チェックステップをそなえてもよい（請求項８）。
さらに、本発明の原稿処理プログラム（請求項９）は、読取装置を用いて原稿を読み取って、電子読取データとして処理する原稿処理機能をコンピュータに実行させるための原稿処理プログラムであって、該読取装置を用いて、該原稿に、当該原稿に先行するようにヘッダセパレータと、当該原稿に後行するようにフッタセパレータとを積層して構成された読取対象物を、順次、読み取ることにより、該電子読取データを、順次、生成する読取ステップと、該読取ステップにおいて生成された該電子読取データに基づいて、ヘッダセパレータおよびフッタセパレータを識別するセパレータ識別ステップと、該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとを、該コンピュータに実行させることを特徴としている。
【００２１】
なお、該処理ステップを該コンピュータに実行させる際に、該配置ステップにおいて配置された該読取対象物が無くなったことを検出し、読み取られた該読取対象物内に該フッタセパレータが無かったことを検出した後、該配置部に該読取対象物が配置されたことを検出した場合に、該読取ステップによる読み取りを実行し、該読取対象物が無いことを検出した後、該読取ステップにおいて読み取って生成された該電子読取データを、該ヘッダセパレータおよび該フッタセパレータに基づいて、１つのグループに結合するように、該コンピュータに実行させてもよい（請求項１０）。
【００２２】
そして、本発明のコンピュータ読取可能な記録媒体（請求項１１，１２）は、上述した原稿処理プログラムを記録したものである。
【発明の効果】
【００２３】
本発明によれば、以下の少なくともいずれか１つの効果ないし利点が得られる。
（１）処理対象の原稿に先行するようにヘッダセパレータを配置するとともに、該原稿に後行するようにフッタセパレータを配置して積層した読取対象物を、順次、読み取ることにより、電子読取データを順次、生成し、ヘッダセパレータとして識別された電子読取データと、このヘッダセパレータの識別後に、フッタセパレータとして識別された電子読取データとの間において読み取られた原稿にかかる電子読取データを、同一のグループとして取り扱うことにより、電子読取データを容易にグループ化することができ利便性が高い（請求項１，請求項６，請求項９，請求項１１）。
【００２４】
（２）ヘッダセパレータおよびフッタセパレータをそれぞれ識別するための特徴情報をあらかじめ格納しておき、原稿を読み取って生成された電子読取データと、この特徴情報とに基づいてヘッダセパレータおよびフッタセパレータを識別することにより、ヘッダセパレータおよびフッタセパレータを容易に識別することができる（請求項２）。
（３）配置部にヘッダセパレータ，原稿およびフッタセパレータをそれぞれ複数配置した場合において、生成された電子読取データを、複数のヘッダセパレータ及び複数のフッタセパレータに基づいて、複数のグループに分割することにより、複数のグループにかかる原稿を、容易にグループ分けすることができる（請求項４）。
【００２５】
（４）電子読取データに関する識別結果と、この電子読取データに先立って生成された他の電子読取データに関する識別結果に基づいて想定される想定状態とを比較することによって、原稿に関する矛盾状態を確認することにより、グループ化に対する信頼性を向上させることができる（請求項５，請求項８）。
（５）配置部に読取対象物が無くなったことを検出し、読み取られた該読取対象物内に該フッタセパレータが無かったことを検出した後、配置部に読取対象物が配置されたことを検出した場合に、読取部により読み取りを実行し、読取対象物が無いことを検出した後、読取部によって読み取って生成された電子読取データを、ヘッダセパレータおよび該フッタセパレータに基づいて、１つのグループに結合し管理することにより、配置部に同一の案件にかかる原稿を一度にセットすることができず、複数回に分けて読み取りを行なう場合においても、これらの複数の読み取りにわたって生成された電子読取データを１の案件にかかるものとして取り扱う（結合させる）ことができ、利便性が高い（請求項３，請求項７，請求項１０，請求項１２）。
【発明を実施するための最良の形態】
【００２６】
以下、図面を参照して本発明の実施の形態を説明する。
図１は本発明の一実施形態としての原稿処理システム１００の構成を模式的に示す図である。
本原稿処理システム１００は、原稿５０を読み取って電子読取データとして処理するものであって、図１に示すように、スキャナ３０，端末装置１およびサーバ６０をそなえて構成されている。
【００２７】
本実施形態においては、スキャナ３０によって複数の原稿５０の読み取りが行なわれるようになっている。原稿５０は、帳票等の、少なくともその一方の面に文字等からなる何らかの情報が記載されたものであり、本原稿処理システム１００においては、この原稿５０の表面に記載された情報を、電子読取データ（画像データ）として管理するようになっている。又、これらの複数の原稿５０は、その記載内容等に応じて複数の案件（グループ）に分けられる（グループ化，グループ分け）ようになっている。
【００２８】
スキャナ３０は、原稿５０を読み取って電子読取データを生成するものであって、図１に示すように、ＡＤＦ（Automatic Document Feeder；自動原稿送り装置）３１，スキャンユニット３４，メモリ３５およびＬＡＮ  Ｉ／Ｆ３６をそなえて構成されている。
ＡＤＦ３１は、処理対象の原稿５０や後述するヘッダセパレータ（セパレータ）５１およびフッタセパレータ（セパレータ）５２がセット（配置）され、これらのセットされた原稿５０，ヘッダセパレータ５１およびフッタセパレータ５２を、後述するスキャンユニット３４に、順次、搬送・供給するものである。
【００２９】
このＡＤＦ３１は、原稿載置台（配置部）３２と供給ユニット３３とをそなえて構成されており、原稿載置台３２には原稿５０，ヘッダセパレータ５１およびフッタセパレータ５２が所定の順序で積み重ねて（積層して）配置されるようになっている。
なお、以下、この原稿載置台３２にセットされる原稿５０，ヘッダセパレータ５１およびフッタセパレータ５２のことを、読取対象物という場合もある。
【００３０】
供給ユニット３３は、原稿載置台３２に配置された読取対象物（原稿５０）を、順次、後述するスキャンユニット３４に供給するものであって、例えば、原稿載置台３２に配置された読取対象物をスキャンユニット３４まで案内・搬送する、搬送ローラ，ピンチローラ，ガイドローラ等をそなえて構成されている。なお、この供給ユニット３３は、既知の種々の技術により実現することができる。
【００３１】
そして、本実施形態においては、原稿載置台３２上に積み重ねられた読取対象物のうち、下側のものから、順次、供給ユニット３３によりスキャンユニット３４に搬送・供給されるようになっており、オペレータは、先に読取が行なわれるものが下側に位置するように、原稿載置台３２に読取対象物をセットするようになっている。
すなわち、本実施形態においては、オペレータは、図１に示すように、原稿載置台３２上において、１の（同一の）案件に係る原稿５０の束に対して下側にヘッダセパレータ５１を配置するとともに、その原稿５０の束に対して上側にフッタセパレータ５２を載置することにより、原稿載置部３２において、処理対象の原稿５０とともに、この原稿５０に先行するようにヘッダセパレータ５１が、又、この原稿５０に後行するようにフッタセパレータ５２が、それぞれ配置されるのである。従って、この原稿載置台３２が、処理対象の原稿５０に先行するようにヘッダセパレータ５１を配置するとともに、この原稿５０に後行するようにフッタセパレータ５２を配置する配置部として機能するようになっている。
【００３２】
ここで、本原稿処理システム１００において用いられるヘッダセパレータ５１及びフッタセパレータ５２について説明する。
図２，図３はそれぞれ本発明の一実施形態としての原稿処理システム１００において用いられるセパレータの例を示す図であり、図２はヘッダセパレータ５１の例を示す図、図３はフッタセパレータの例を示す図である。又、図４は本原稿処理システム１００における特徴情報の登録手法を説明するための図である。
【００３３】
セパレータは、原稿５０を案件（グループ）毎に仕分けるためのものであり、このセパレータは原稿用紙に原稿５０の案件を特定するための案件情報を印刷あるいは人手により記入したものであって、原稿５０の先頭および最後尾に配置され、原稿５０とともに原稿載置台３２に搭載される。つまり、ヘッダセパレータ５１は、複数の原稿５０における特定のグループの開始を示すものであって、本原稿処理システム１００のオペレータ等により、原稿載置第３２上において、１のグループを形成する複数の原稿５０（原稿５０の束）の先頭に（先行するように）配置されるようになっている。
【００３４】
ヘッダセパレータ５１は、図２に示すように、例えば、少なくともその一方の面に、案件情報記載領域５１ａ，セパレータ情報記載領域５１ｂおよびヘッダ情報記載領域５１ｃをそなえて構成されている。
案件情報記載領域５１ａは、案件を特定するための案件情報（例えば、案件名）を記載するための領域であって、図２に示す例においては、案件名を示す文字列“abcdef”が記載されている。セパレータ情報記載領域５１ｂは、その読取対象物がセパレータであることを示すセパレータ情報を記載するための領域であって、図２に示す例においては、文字列“separate”が記載されている。ヘッダ情報記載領域５１ｃは、その読取対象物（セパレータ）がヘッダセパレータ５１であることを示すヘッダ識別情報を記載するための領域であって、図２に示す例においては、文字列“start”が記載されている。
【００３５】
また、ヘッダセパレータ５１における、上述した案件情報記載領域５１ａ，セパレータ情報記載領域５１ｂおよびヘッダ情報記載領域５１ｃの各位置は予め規定されている。
フッタセパレータ５２は、複数の原稿５０における特定のグループの原稿の終了を示すものであって、本原稿処理システム１００のオペレータ等により、原稿載置台３２上において、１のグループを形成する複数の原稿５０（原稿５０の束）の末尾に（後行するように）配置されるようになっている。
【００３６】
フッタセパレータ５２は、図３に示すように、例えば、案件情報記載領域５２ａ，セパレータ情報記載領域５２ｂおよびフッタ情報記載領域５２ｃをそなえて構成されている。
案件情報記載領域５２ａは、案件を特定するための案件情報（例えば、案件名）を記載するための領域であって、図３に示す例においては、案件名を示す文字列“abcdef”が記載されている。セパレータ情報記載領域５２ｂは、その読取対象物がセパレータであることを示すセパレータ情報を記載するための領域であって、図３に示す例においては、文字列“separate”が記載されている。フッタ情報記載領域５２ｃは、その読取対象物（セパレータ）がフッタセパレータ５２であることを示すフッタ識別情報を記載するための領域であって、図３に示す例においては、文字列“end”が記載されている。
【００３７】
また、フッタセパレータ５２における、上述した案件情報記載領域５２ａ，セパレータ情報記載領域５２ｂおよびフッタ情報記載領域５２ｃの各位置も予め規定されている。
そして、ヘッダセパレータ５１における、案件情報記載領域５１ａ，セパレータ情報記載領域５１ｂおよびヘッダ情報記載領域５１ｃの各位置を特定するための位置情報（レイアウト情報）や、案件情報，セパレータ情報，ヘッダ識別情等のヘッダセパレータ５１を識別するための特徴的な情報（例えば、どのような文字列や記号等が記載されているか）は、ヘッダ特徴情報（特徴情報）１５として予め規定され、図４に示すように、後述する端末装置１のＨＤＤ１４に格納されるようになっている。
【００３８】
同様に、フッタセパレータ５２における、案件情報記載領域５２ａ，セパレータ情報記載領域５２ｂおよびフッタ情報記載領域５２ｃの各位置を特定するための位置情報（レイアウト情報）や、案件情報，セパレータ情報，フッタ識別情等のフッタセパレータ５２を識別するための特徴的な情報（例えば、どのような文字列や記号等が記載されているか）は、それぞれフッタ特徴情報（特徴情報）１６として予め規定され、図４に示すように、端末装置１のＨＤＤ１４に格納されるようになっている。
【００３９】
スキャンユニット３４は、例えば、ＣＣＤ（Charge Coupled Device）イメージセンサやＣＭＯＳ（Complementary Metal Oxide Semiconductor）イメージセンサ等の撮像素子をそなえて構成され、供給ユニット３３によって供給される読取対象物（原稿５０，ヘッダセパレータ５１およびフッタセパレータ５２）を撮像してデジタルデータ化するものであって、読取対象物の電子読取データ（画像データ）を生成するようになっており、１つ（１枚）の読取対象物の読み取りを行なう度に、１つの電子読取データを生成するようになっている。
【００４０】
すなわち、このスキャンユニット３４が、原稿載置台３２に配置されたヘッダセパレータ５１，原稿５０およびフッタセパレータ５２を、順次、読み取って、電子読取データを、順次、生成する読取部として機能するようになっている。なお、このスキャンユニット３４の構成は、既知の種々の手法を用いて実現することができるので、その詳細な説明は省略する。
【００４１】
メモリ３５は、スキャンユニット３４によって生成された電子読取データを一時的に格納するものであり、例えば、ＲＡＭ（Random Access Memory）等の種々の半導体メモリによって構成される。
ＬＡＮインターフェース（ＬＡＮ  Ｉ／Ｆ）３６は、スキャナ３０をＬＡＮ４０に通信可能に接続するための通信インターフェースであり、例えば、ＬＡＮカード等によって構成されるものである。
【００４２】
スキャナ３０は、このＬＡＮインターフェース３６によってＬＡＮ４０に接続されることにより、同じくＬＡＮ４０に接続された端末装置１やサーバ６０（それぞれ後述）と通信可能に接続され、これらの端末装置１やサーバ６０に対して、メモリ３５に格納された電子読取データを送信することができるようになっている。
そして、本原稿処理システム１００においては、このスキャナ３０によって読取りが行なわれた読取対象物の電子読取りデータは、ＬＡＮ４０を介して、順次、端末装置１に送信されるようになっている。
【００４３】
また、このスキャナ３０による読取対象物の読み取りは、このスキャナ３０にそなえられた操作部（図示省略）を介してオペレータによって行なわれる操作に従って行なわれる他、後述する端末装置１の制御に従っても行なうことができるようになっている。
さらに、スキャナ３０は、スキャンユニット３４による読取対象物の読み取り処理が失敗したか否かを判断する診断機能をそなえており、この読み取り処理の失敗を検出した場合には、図示しない表示部にその旨の表示を行なったり、ＬＡＮ４０を介して端末装置１に通知したりするようになっている。
【００４４】
なお、この診断機能としては、例えば、ＡＤＦ３１による読取対象物の搬送時に搬送ミス（ジャム等）を検出することにより行なってもよく、又、スキャンユニット３４による読み取り処理を行なった後に、メモリ３５に格納されたデータを確認し、例えば、そのデータサイズが所定値以下である場合に読み取り処理が失敗であると判断してもよく、既知の種々の手法を用いて実現することができる。
【００４５】
端末装置１は、スキャナ３０の制御や操作を行なったり、スキャナ２０１によって生成された電子読取データを編集・保存したり、生成された電子画像データに対してＯＣＲ（Optical Character Recognition；光学文字認識）等の処理を行なう情報処理装置（コンピュータ）である。
この端末装置１は、図１に示すように、ＣＰＵ（Central Processing Unit）１０，ＨＤＤ（Hard Disk Drive）１４，ＲＡＭ１８，ＲＯＭ１９，キーボード２０，マウス２１，ＬＡＮインターフェース（Ｉ／Ｆ）２２およびディスプレイ２３をそなえて構成されている。
【００４６】
ＨＤＤ（Hard Disk Drive）１４は、種々のデータを格納する記憶装置であり、ＣＰＵ１０によって実行されるＯＳ（Operating System）や各種プログラムや、前述したヘッダ特徴情報１５やフッタ特徴情報１６の他、原稿特徴情報１７を格納するようになっている。
原稿特徴情報１７は、原稿５０を識別するための特徴的な情報（例えば、どのような位置に、どのような文字列や記号等が記載されているか）の特徴情報であり、ＣＰＵ１０（セパレータ識別部１１）は、この原稿特徴情報１７と後述するＯＣＲ機能やレイアウト認識機能とを用いることにより、読取対象物が原稿５０であることの認識や、更に、この原稿５０について、原稿種別等のより詳細な識別を行なうことができるようになっている。
【００４７】
また、このＨＤＤ１４には、スキャナ３０から送信された、読取対象物の電子読取データや、この電子読取データに基づいて生成される種々のデータ等も格納されるようになっている。
ＲＡＭ１８は、ＣＰＵ１０が演算処理を行なう際にデータやプログラムを一時的に展開するための記憶領域であり、ＲＯＭ１９は、ＣＰＵ１０によって実行されるプログラムや演算処理に用いられるデータを格納するものである。
【００４８】
キーボード２０やマウス２１は、オペレータが種々の入力操作を行なう入力装置であり、ディスプレイ２３は、種々の情報を表示可能な表示装置であって、例えば、ＣＲＴ（Cathode Ray Tube）ディスプレイやＬＣＤ（Liquid Crystal Display）により構成されている。
ＬＡＮインターフェース（Ｉ／Ｆ）２２は、端末装置１をＬＡＮ４０に通信可能に接続するための通信インターフェースであり、例えば、ＬＡＮカード等によって構成されるものである。
【００４９】
そして、端末装置１は、このＬＡＮインターフェース２２によってＬＡＮ４０に接続されることにより、同じくＬＡＮ４０に接続されたスキャナ３０やサーバ６０（後述），他の端末装置１（図示省略）等と通信可能に接続され、スキャナ３０からＬＡＮ４０を介して電子読取データを受信したり、サーバ６０に対して、電子読取データや種々のデータを送信することができるようになっている。
【００５０】
そして、本原稿処理システム１００においては、スキャナ３０において生成された電子読取データは、スキャナ３０において読取対象物が読み取られた順番で、スキャナ３０からＬＡＮ４０を介して端末装置１に順次送信され、端末装置１においては、この順番に従って順次、受信し、ＨＤＤ１４における所定領域に格納するようになっている。
ＣＰＵ１０は、演算処理や各種制御を行なうものであって、ＯＳや種々のプログラム（原稿処理プログラム，データ管理プログラム（詳細は後述））を実行することにより、種々の機能を実現するようになっている。
【００５１】
そして、このＣＰＵ１０が、原稿処理プログラムを実行することにより、後述するセパレータ識別部１１，矛盾チェック部１２および処理部１３として機能する他、ＯＣＲ（Optical Character Recognition；光学文字認識）機能や、レイアウト認識機能を実現するようになっている。
ここで、ＯＣＲ機能は、文字の画像データに基づいて文字の自動認識を行なう機能であって、画像データを解析して、この画像データ中における文字画像をコンピュータが編集できる電子テキストデータ（文字コードの列）に変換する（電子テキスト化）するものである。なお、このＯＣＲ機能を実現するための手法は、例えば、特開２００５−４５５０公報に示すように既知の技術であり、既知の種々の技術を用いて実現することができるので、その詳細な説明は省略する。
【００５２】
レイアウト認識機能は、文書の画像データに基づいて、この文書における文章や図表等の配置（レイアウト）を解析・認識するものである。なお、このレイアウト認識機能は、例えば、国際公開ＷＯ９７／００５５６１号パンフレットに示すように既知の技術であり、既知の種々の技術を用いて実現することができるので、その詳細な説明は省略する。
セパレータ識別部１１は、スキャナ３０によって生成された電子読取データに基づいて、ヘッダセパレータ５１およびフッタセパレータ５２を識別するものであって、スキャナ３０から送信された電子読取データと、ＨＤＤ１４に格納されたヘッダ特徴情報１５やフッタ特徴情報１６とに基づいて、その電子読取データがヘッダセパレータ５１やフッタセパレータ５２にかかるものであることを識別するようになっている。
【００５３】
例えば、セパレータ識別部１１は、各読取対象物の電子読取データのそれぞれについて、上述したレイアウト認識機能によりそのレイアウトを認識し、この認識したレイアウトについて、ヘッダ特徴情報１５やフッタ特徴情報１６と比較して、ヘッダセパレータ５１のレイアウトやフッタセパレータ５２のレイアウトに一致もしくはほぼ一致しているか否かを判断する。
【００５４】
そして、認識したレイアウトが、ヘッダセパレータ５１のレイアウトやフッタセパレータ５２のレイアウトに一致もしくはほぼ一致していると判断した場合には、更に、ＯＣＲ機能を用いて、所定位置（例えば、案件情報記載領域５１ａ，５２ａ，セパレータ情報記載領域５１ｂ，５２ｂ，ヘッダ情報記載領域５１ｃ，フッタ情報記載領域５２ｃ）の各位置に記載されている文字（文字列）の認識を行なう。
【００５５】
ここで、これらの認識した文字列を、ヘッダ特徴情報１５やフッタ特徴情報１６と比較して、上述した案件情報やセパレータ情報，ヘッダ識別情報にそれぞれ一致もしくはほぼ一致している場合には、その電子読取データにかかる読取対象物がヘッダセパレータ５１であると認識し、又、認識した文字列が、上述した案件情報やセパレータ情報，フッタ識別情報にそれぞれ一致もしくはほぼ一致している場合には、その電子読取データにかかる読取対象物がフッタセパレータ５２であると認識するのである。
【００５６】
矛盾チェック部１２は、スキャナ３０によって順次生成された一連の電子読取データに関するセパレータ識別部１１による識別結果に基づいて、原稿５０，ヘッダセパレータ５１およびフッタセパレータ５２の登場順序によって読取対象物に関する矛盾状態を確認するものである。
具体的には、この矛盾チェック部１２は、電子読取データに関するセパレータ識別部１１による識別結果と、その電子読取データに先立って生成された他の電子読取データに関するセパレータ識別部１１による識別結果に基づいて想定される想定状態とを比較することにより、読取対象物（原稿５０，ヘッダセパレータ５１，フッタセパレータ５２）に関する矛盾状態を確認するようになっており、スキャナ３０によって、順次、読み取りが行なわれた一連の読取対象物の電子読取データに基づいて、セパレータ識別部１１によるヘッダセパレータ５１およびフッタセパレータ５２の識別結果における、原稿５０，ヘッダセパレータ５１およびフッタセパレータ５２の登場順序において、不適当な認識結果があった場合に、矛盾状態であると判断するようになっている。
【００５７】
例えば、矛盾チェック部１２は、セパレータ識別部１１による識別の結果、読み取りが行なわれた一連の読取対象物の電子読取データにおいてヘッダセパレータ５１が検出された場合に、その直前に読み取られた読取対象物がフッタセパレータ５２ではない場合や、フッタセパレータ５２が検出された場合において、その直前に読み取られた読取対象物がヘッダセパレータ５１やフッタセパレータ５２である場合等に、矛盾状態であると判断するのである。なお、この矛盾チェック部１２による矛盾の判断手法の詳細な例については後述する（図９参照）。
【００５８】
処理部１３は、原稿５０にかかる電子読取データのグループ分けを行なうものであって、複数の原稿５０にかかる電子読取データを、案件毎に別々のグループに分けるようになっている。具体的には、処理部１３は、セパレータ識別部１１によってヘッダセパレータ５１として識別された電子読取データと、このヘッダセパレータ５１の識別後に、セパレータ識別部１１によってフッタセパレータ５２として識別された電子読取データとの間において、スキャナ３０によって読み取られた原稿５０にかかる電子読取データを、同一のグループとして取り扱う（グループ分け，グループ化）ようになっている。
【００５９】
図５〜図８はそれぞれ本発明の一実施形態としての原稿処理システム１００のスキャナ３０の原稿載置台３２における読取対象物のセット例を示す図であり、図５はその原稿載置台３２に１の案件にかかる原稿５０の束をセットする例を示す図、図６（ａ）はその原稿載置台３２に１の案件にかかる原稿５０の束の一部をセットする例を示す図、図６（ｂ）は図６（ａ）に示した１の案件にかかる原稿のうち残りの原稿５０をセットした状態を示す図、図７はその原稿載置台３２に複数の案件にかかる原稿５０の束をセットする例を示す図、図８（ａ）はその原稿載置台３２に複数の案件にかかる原稿５０の束とともに１の案件にかかる原稿の束のうち一部をセットした状態を示す図、図８（ｂ）は、図８（ａ）に示した１の案件にかかる原稿５０のうち残りの原稿５０をセットした状態を示す図である。
【００６０】
例えば、図５に示すように、スキャナ３０の原稿載置台３２に１の案件にかかる原稿５０の束をセットする場合であって、その原稿載置台３２上に１の案件にかかる全ての原稿５０を一度にセットできる場合には、これらの原稿５０をヘッダセパレータ５１とフッタセパレータ５２とで挟み込んで、ヘッダセパレータ５１が原稿５０よりも先にスキャンユニット３４によって読み取られるようにセットするとともに、フッタセパレータ５２が原稿５０よりも後にスキャンユニット３４によって読み取られるようにセットする。
【００６１】
処理部１３は、スキャナ３０によって、これらの読取対象物を順次読み取ることにより生成された電子読取データについて、セパレータ識別部１１によりフッタセパレータ５２が認識された時点で、その案件にかかる原稿５０の読み取りが完了したと判断し、ヘッダセパレータ５１とフッタセパレータ５２との間に挟まれた原稿５０を１のグループにかかるものとして取り扱う。
【００６２】
なお、本実施形態においては、処理部１３は、複数の原稿５０を１のグループにかかるものとして取り扱うためには、例えば、データ管理プログラム（データベース）等を用いて、同じグループの原稿５０にかかる複数の電子読取データ同士を相互に関係付けることによって行なうようになっている。
なお、このような、複数の電子読取データを１のグループとして取り扱うためのデータ管理プログラムは既知であり、この既知のプログラムを用いることにより種々実施することができ、端末装置１や後述するサーバ６０が、それぞれこのデータ管理プログラムを実行可能に構成されている。
【００６３】
そして、以下、同じグループの原稿５０にかかる複数の電子読取データを１のグループとして取り扱うことを、便宜上、単に、結合すると表現する。
また、図６（ａ），（ｂ）に示すように、例えば、１の案件にかかる原稿５０の枚数が多く、スキャナ３０の原稿載置台３２上に１の案件にかかる原稿５０の束のうち一部しかセットできず（図６（ａ）参照）、１の案件にかかる原稿５０を複数回（図６（ａ），（ｂ）に示す例においては２回）に分けて原稿載置台３２にセットする場合には、原稿５０の束の最後にのみフッタセパレータ５２をセットし（図６（ｂ）参照）、１の案件にかかる一連の原稿５０の途中にはフッタセパレータ５２をセットしないようになっている。
【００６４】
これにより、１回目に原稿載置台３２にセットした原稿対象物だけの読み取りが完了した時点においては、セパレータ識別部１１によってフッタセパレータ５２が識別されることがなく、処理部１３は、読み取りが継続中（継続あり）であると判断する。その後、２回目に原稿載置台３２上にセットされた全ての読取対象物の読取りがスキャナ３０によって行なわれ、これらの原稿５０の読取りの後にフッタセパレータ５２の認識が行なわれると、処理部１３は、これにより、その案件にかかる原稿５０の読み取りが完了したと判断し、１回目の読み取りにおいて生成された原稿５０の束の電子読取データと、２回目の読み取りにおいて生成された原稿５０の電子読取データとを結合するようになっており、これにより、処理部１３は、これらの電子読取データを１のグループにかかる電子読取データであるとして取り扱うようになっている。
【００６５】
なお、処理部１３による同一案件にかかる２つの電子読取データの結合は、例えば、先に読み取りが行なわれ生成された電子読取データに後続するように、後に読み取りが行なわれ生成された電子読取データを、データ管理プログラムにより関連付けることにより行なわれる。なお、この処理部１３による電子読取データの結合手法は、既知の種々の技術により実現することができるものであり、その説明は省略する。
【００６６】
また、例えば、図７に示すように、スキャナ３０の原稿載置台３２に複数（図７に示す例においては２つ）のグループの原稿５０の束をセットする場合であって、その原稿載置台３２上にこれらの複数のグループにかかる全ての原稿５０を一度にセットできる場合には、各案件にかかる原稿５０の束をそれぞれ案件毎にヘッダセパレータ５１とフッタセパレータ５２とで挟み込んで、それぞれ、ヘッダセパレータ５１が原稿５０よりも先に、又、フッタセパレータ５２が原稿５０よりも後にスキャンユニット３４によって読み取られるようにセットする。
【００６７】
処理部１３は、スキャナ３０により読取対象物を順次読み取ることによって生成された複数の電子読取データについて、セパレータ識別部１１によりフッタセパレータ５２が認識される度に、１つの案件にかかる読み取りが完了したと判断し、そのフッタセパレータ５２とそのフッタセパレータ５２の前に読み取りが行なわれたヘッダセパレータ５１との間に挟まれた原稿５０の束を、１のグループにかかるものとして取り扱うことにより、複数の案件にかかる原稿５０の束をそれぞれグループ分けする。
【００６８】
また、図８（ａ），（ｂ）に示すように、複数の案件（図８（ａ），（ｂ）に示す例においては、案件Ａ，Ｂの２つ）にかかる原稿５０の束をスキャナ３０の原稿載置台３２にセットする場合において、最後の案件（図８（ａ），（ｂ）に示す例においては案件Ｂ）にかかる原稿５０の束のうち一部しかセットできず（図８（ａ）参照）、この最後の案件Ｂにかかる原稿５０を複数（図８（ａ），（ｂ）に示す例においては２回）に分けて原稿載置台３２にセットする場合には、オペレータは、この案件Ｂにかかる原稿５０の束における、中途部分にかかる原稿５０の後ろにはフッタセパレータ５２をセットしないようになっている。
【００６９】
これにより、処理部１３は、案件Ａにかかるフッタセパレータ５２がセパレータ識別部１１によって識別された時点で、案件Ａにかかる読み取りは完了したものと判断する一方で、案件Ｂについては、１回目に原稿載置台３２にセットした原稿対象物の読み取りが完了した時点においては、セパレータ識別部１１により案件Ｂにかかるフッタセパレータ５２が認識されていないので、この案件Ｂにかかる読み取りは継続中（継続あり）と判断する。
【００７０】
そして、１回目に原稿載置台３２上にセットされた全ての読取対象物の読取りがスキャナ３０によって行なわれた後に、オペレータは、残りの原稿５０が原稿載置台３２にセットするとともに、これらの残りの原稿５０に後続するようにフッタセパレータ５２をセットし、これらの読取対象物の読み取りがスキャンユニット３４によって順次行なわれるのである。
【００７１】
そして、２回目に原稿載置台３２上にセットされた全ての読取対象物の読取りがスキャナ３０によって行なわれることにより、案件Ｂにかかる残りの原稿５０の読取りの後にフッタセパレータ５２の認識が行なわれ、処理部１３は、このフッタセパレータ５２がセパレータ識別部１１によって識別されたことにより、その案件Ｂにかかる原稿５０の読み取りが完了したと判断し、１回目の読み取りにおいて生成された案件Ｂにかかる原稿５０の束の電子読取データ（第１の電子読取データ）と、２回目の読み取りにおいて生成された案件Ｂにかかる原稿５０の束の電子読取データ（第２の電子読取データ）とを結合するようになっており、これにより、処理部１３は、これらの電子読取データを１のグループにかかる電子読取データであるとして取り扱うようになっている。
【００７２】
この際、処理部１３は、ＯＣＲ機能によりヘッダセパレータ５１の案件情報記載領域５１ａやフッタセパレータ５２の案件情報記載領域５２ａから読み取った案件情報を、グループ化した電子読取データの束の識別に用いることにより、電子読取データの案件毎のグループ化を容易に自動化することができる。
そして、このようにスキャナ３０によって生成された電子読取データは、ＨＤＤ１４等に格納されるようになっている。又、このＨＤＤ１４に格納された電子読取データは、オペレータの操作等に従って、ＬＡＮ４０を介してサーバ６０に送信されるようになっている。
【００７３】
また、ＣＰＵ１０は、前述した原稿特徴情報１７を用いて、読取対象物１７が原稿５０であるか、又、原稿５０である場合には、その原稿種類等の識別を行なうようになっており、端末処理１のデータベースや、後述するサーバ６０においては、原稿５０にかかる電子読取データに対して、この識別した原稿種類等の情報が関連付けて管理されるようになっている。
【００７４】
なお、上述したセパレータ識別部１１，矛盾チェック部１２および処理部１３としての機能や、ＯＣＲ機能やレイアウト認識機能を実現するためのプログラム（原稿処理プログラム，データ管理プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００７５】
セパレータ識別部１１，矛盾チェック部１２および処理部１３としての機能としての機能や、ＯＣＲ機能やレイアウト認識機能を実現する際には、内部記憶装置（本実施形態ではＲＡＭ１７やＲＯＭ１８）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【００７６】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、端末装置１がコンピュータとしての機能を有しているのである。
【００７７】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００７８】
サーバ６０は、種々のデータを管理するものであり、ＨＤＤ６１をそなえるとともにデータベースをそなえて構成されており、端末装置１から送信された電子読取データをＨＤＤ６１に保存して、これらの電子読取データをデータベースにより管理し、端末装置１やＬＡＮ４０を介して接続された他の情報処理装置（図示省略）からの要求に応じて、これらの電子読取データを提供することができるようになっている。なお、このサーバ６０による電子読取データの管理手法については、既知の種々の手法を用いて実現することができるものであり、その説明は省略する。
【００７９】
上述の如く構成された本発明の一実施形態としての原稿処理システム１００における原稿５０の処理手法を、図９に示すフローチャート（ステップＡ１０〜Ａ２４０）に従って説明する。
なお、本実施形態においては、例えば、ＲＡＭ１７やＨＤＤ１４における所定領域に、パラメータ“状態”およびパラメータ“前回の状態”の２つのパラメータを格納可能に構成されており、これらのパラメータ“状態”および“前回の状態”には、それぞれ、「初期値」を示す情報，「案件の開始」を示す情報および「案件の終了」を示す情報の少なくともいずれか１つが、任意に設定（格納）されるようになっている。
【００８０】
また、以下、パラメータ“状態”もしくはパラメータ“前回の情報”に、「初期値」を示す情報が設定されていることを、単に、「初期値」が設定されていると表現し、同様に、「案件の開始」を示す情報や「案件の終了」を示す情報が設定されていることを、単に、「案件の開始」が格納されているもしくは「案件の終了」が設定されていると表現する。
【００８１】
そして、パラメータ“前回の状態”には、パラメータ“状態”が更新される際に、このパラメータ“状態”に設定されていた情報が設定（シフト）されるようになっている。例えば、パラメータ“状態”に「案件の開始」が設定されている状態において、このパラメータ“状態”が更新され、新たに「案件の途中」が設定された場合には、これに伴って、パラメータ“前回の状態”に「案件の開始」が設定（シフト）されるようになっている。
【００８２】
さて、スキャナ３０によって原稿５０の読み取りを開始するに際して、先ず、矛盾チェック部１２がパラメータ“状態”に「初期値」を設定（状態＝初期値）して（ステップＡ１０）、その後、スキャナ３０においてスキャンユニット３４により読取対象物の読み取りが行なわれる（ステップＡ２０；読取ステップ）。
処理部１３は、スキャンユニット３４による読取対象物の読み取り処理が失敗したか否かを確認する（ステップＡ３０）。なお、このスキャンユニット３４による読取対象物の読み取り処理が失敗したか否かの判断は、例えば、スキャナ３０がそなえる診断機能により行なわれ、このスキャナ３０において読み取り処理の失敗が検出された場合、すなわち、読取対象物が無くなったことを検出した際には、それを示すメッセージをＬＡＮ４０を介して通知することによって実現することができる。
【００８３】
スキャンユニット３４による読み取り処理が成功した場合には（ステップＡ３０のＮＯルート参照）、その読取対象物にかかる電子読取データについて、セパレータ識別部１１がヘッダセパレータ５１やフッタセパレータ５２であるかの認識（自動認識処理）を行なう（ステップＡ４０）。
また、この自動認識処理において、その読取対象物にかかる電子読取データがヘッダセパレータ５１やフッタセパレータ５２ではないと認識された場合、すなわち、原稿５０であると認識された場合には、ＣＰＵ５０は、原稿特徴情報１７を参照して、その原稿種類の識別等も行ない、その識別結果を電子読取データに関連付ける。
【００８４】
また、矛盾チェック部１２は、その電子読取データにかかる読取対象物がセパレータ（ヘッダセパレータ５１もしくはフッタセパレータ５２）であるか否かの判断を行ない（ステップＡ５０；セパレータ識別ステップ）、セパレータではない場合には（ステップＡ５０のＮＯルート参照）、次に、パラメータ“前回の状態”に「案件の途中」もしくは「案件の開始」のいずれかが設定されている（前回の状態＝案件の途中ｏｒ開始）か否かを確認する（ステップＡ６０；矛盾チェックステップ）。
【００８５】
そして、このパラメータ“前回の状態”に「案件の途中」もしくは「案件の開始」が設定されていない場合には（ステップＡ６０のＮＯルート参照）、矛盾チェック部１２は、矛盾があると判断して（ステップＡ９０）、例えば、矛盾が生じている旨のエラーメッセージをディスプレイ２３に表示させることにより、矛盾エラーの通知を行ない（ステップＡ２４０）、処理を終了する。
【００８６】
また、このパラメータ“前回の状態”に「案件の途中」もしくは「案件の開始」が設定されている場合には（ステップＡ６０のＹＥＳルート参照）、矛盾チェック部１２は、矛盾がないと判断して（ステップＡ７０）、パラメータ“状態”に「案件の途中」を設定して（ステップＡ８０）、ステップＡ２０に戻り、次の読取対象物の読み取りを行なう。又、このステップＡ８０におけるパラメータ“状態”の更新に伴い、先にパラメータ“状態”に設定されていた情報は、パラメータ“前回の状態”に格納（シフト）される。
【００８７】
一方、その電子読取データにかかる読取対象物がセパレータではない場合には（ステップＡ５０のＹＥＳルート参照）、矛盾チェック部１２は、次ぎに、その電子読取データにかかる読取対象物がヘッダセパレータ５１であるか否かの判断を行なう（ステップＡ１４０；セパレータ識別ステップ）。そして、その電子読取データにかかる読取対象物がヘッダセパレータ５１である場合には（ステップＡ１４０のＹＥＳルート参照）、矛盾チェック部１２は、次に、パラメータ“前回の状態”に「初期値」もしくは「案件の終了」が設定されている（前回の状態＝初期値ｏｒ終了）か否かを確認する（ステップＡ１５０；矛盾チェックステップ）。
【００８８】
そして、このパラメータ“前回の状態”に「初期値」もしくは「案件の終了」が設定されていない場合には（ステップＡ１５０のＮＯルート参照）、矛盾チェック部１２は、矛盾があると判断して（ステップＡ１８０）、ステップＡ２４０に移行する。
また、このパラメータ“前回の状態”に「初期値」もしくは「案件の終了」が設定されている場合には（ステップＡ１５０のＹＥＳルート参照）、矛盾チェック部１２は、矛盾がないと判断して（ステップＡ１６０）、パラメータ“状態”に「案件の開始」を設定して（ステップＡ１７０）、ステップＡ２０に戻り、次の読取対象物の読み取りを行なう。又、このステップＡ１７０におけるパラメータ“状態”の更新に伴い、先にパラメータ“状態”に設定されていた情報は、パラメータ“前回の状態”に格納（シフト）される。
【００８９】
電子読取データにかかる読取対象物がヘッダセパレータ５１でない場合には（ステップＡ１４０のＮＯルート参照）、矛盾チェック部１２は、次に、パラメータ“前回の状態”に「案件の途中」が設定されている（前回の状態＝案件の途中）か否かを確認する（ステップＡ１９０；矛盾チェックステップ）。
そして、このパラメータ“前回の状態”に「案件の途中」が設定されていない場合には（ステップＡ１９０のＮＯルート参照）、矛盾チェック部１２は、矛盾があると判断して（ステップＡ２１０）、ステップＡ２４０に移行する。
【００９０】
また、このパラメータ“前回の状態”に「案件の途中」が設定されている場合には（ステップＡ１９０のＹＥＳルート参照）、矛盾チェック部１２は、矛盾がないと判断して（ステップＡ２００）、パラメータ“状態”に「案件の終了」を設定した後（ステップＡ２２０）、前回、読み取りが行なわれた電子読取データと、今回、読み取りが行なわれた電子読取データとを結合して（ステップＡ２３０）、ステップＡ２０に戻り、次の読取対象物の読み取りを行なう。又、このステップＡ２２０におけるパラメータ“状態”の更新に伴い、先にパラメータ“状態”に設定されていた情報は、パラメータ“前回の状態”に格納（シフト）される。
【００９１】
一方、スキャンユニット３４による読み取り処理が失敗した場合には（ステップＡ３０のＹＥＳルート参照）、処理部１３は、パラメータ“状態”を確認して（ステップＡ１００）、このパラメータ“状態”に「初期値」が設定されている（状態=初期値）場合には（ステップＡ１００の“状態=初期値”ルート参照）、原稿がＡＤＦ３１に未セットである旨のメッセージをディスプレイ２３に表示させて（ステップＡ１１０）、処理を終了する。
【００９２】
また、パラメータ“状態”に「案件の終了」が設定されている（状態=案件の終了）場合には（ステップＡ１００の“状態=案件の終了”ルート参照）、ＡＤＦの原稿載置台３２にセットされた全ての原稿５０の読み取りが完了してことを示すメッセージ（完了メッセージ）をディスプレイ２３に表示させて（ステップＡ１２０）、処理を終了する。
さらに、パラメータ“状態”に「案件の開始」もしくは「案件の途中」が設定されている（状態=案件の開始ｏｒ案件の途中）場合には（ステップＡ１００の“状態=案件の開始ｏｒ案件の途中”ルート参照）、継続して読み込みを行なうべき原稿５０が他にある旨のメッセージ（継続読み取りありメッセージ）をディスプレイ２３に表示させて（ステップＡ１３０）、次に、原稿載置台３２に読取対象物（原稿５０）がセットされたかの確認を行なう（ステップＡ１３１）。
【００９３】
この確認は、原稿載置台３２に原稿５０がセットされるまで繰り返し行なわれ（ステップＡ１３１のＮＯルート参照）、原稿載置台３２に原稿がセットされると（ステップＡ１３１のＹＥＳルート参照）、ステップＡ２０に戻る。
このようにして、スキャナ３０によって読取対象物の読み込みが行なわれ、案件毎に結合された電子読取データは、端末装置１のＨＤＤ１４に格納された後、例えば、サーバ６０に送信され、このサーバ６０によって管理・保管される。
【００９４】
このように、本発明の一実施形態としての原稿処理システム１００によれば、読取対象の原稿５０とともに、この原稿５０に先行するようにヘッダセパレータ５１を、又、この原稿５０に後行するようにフッタセパレータ５２をそれぞれ配置して生成した読取対象物を、スキャンユニット３４により順次読み取ることにより、それぞれ電子読取データを生成し、セパレータ識別部１１により、これらの電子読取データからヘッダセパレータ５１およびフッタセパレータ５２を識別して、これらのヘッダセパレータ５１とフッタセパレータ５２との間の電子読取データを同一のグループとして取り扱うことにより、端末装置１等における操作を行なうことなく、自動的に同一案件にかかる原稿５０を結合する等、複数の電子読取データを案件毎に取り扱うことができ利便性が高い。
【００９５】
すなわち、スキャナ３０の原稿載置台３２に原稿５０をセットする際に、原稿５０とともにヘッダセパレータ５１およびフッタセパレータ５２を案件毎にセットするだけで、端末装置１の操作を行なうことなく、生成される電子読取データを自動的に案件毎にグループ分けすることができ、端末装置１を操作するための知識等を有しない者でも作業を行なうことができる。
【００９６】
また、オペレータが操作を行なう端末装置１に対して、ＬＡＮ４０を介して離れた場所に設置されたスキャナ３０を用いて、原稿５０の読み取りを行なう場合において、スキャナ３０の原稿載置台３２に原稿５０に対してヘッダセパレータ５１とフッタセパレータ５２とを任意に配置（原稿束の捌きを行なう）することにより、端末装置１等における操作等を行なうことなく、案件毎に電子読取データの結合や分割を行なうことができる。
【００９７】
また、処理端末１において、ＯＣＲ機能やレイアウト認識機能をそなえ、ヘッダセパレータ５１やフッタセパレータ５２における特定の領域に記載した情報を電子データとして取得できるので、これらのヘッダセパレータ５１やフッタセパレータ５２に予め種々の情報を記載しておくことにより、種々利用することができ利便性が高い。
例えば、ヘッダセパレータ５１における所定の領域（例えば、案件情報記載領域５１ａ）に１つの案件として取り扱われる原稿５０の枚数（原稿束の枚数）を枚数情報として記載しておき、端末装置１において、ＯＣＲ機能やレイアウト認識機能を用いてこの枚数情報を認識することにより、例えば、ヘッダセパレータ５１とフッタセパレータ５２とで挟まれた原稿５０にかかる電子読取データの数（枚数）と、上述した枚数情報とを比較することにより、スキャナ３０による読み取り処理の妥当性等をチェックすることができる。
【００９８】
また、端末装置１のＨＤＤ１４等にヘッダセパレータ５１やフッタセパレータ５２をそれぞれ識別するためのヘッダ特徴情報１５やフッタ特徴情報１６をあらかじめ格納しておくことにより、セパレータ識別部１１が、これらのヘッダ特徴情報１５やフッタ特徴情報１６を用いて容易にヘッダセパレータ５１やフッタセパレータ５２の識別を行なうことができる。
【００９９】
また、スキャナ３０の原稿載置台３２に複数の案件にかかる原稿５０を一度にセットする場合においても、案件毎に原稿５０の前後にヘッダセパレータ５１とフッタセパレータ５２とを配置することにより、これらの複数の案件にかかる原稿５０の電子読取データを、容易に案件毎にグループ化することができ利便性が高い。
さらに、スキャナ３０の原稿載置台３２に、１の案件にかかる原稿５０を一度にセットすることができず、複数回に分けて読み取りを行なう場合においても、これらの複数の読み取りにわたって生成された電子読取データを１の案件にかかるものとして取り扱う（結合させる）ことができ、利便性が高い。
【０１００】
また、矛盾チェック部１２が、スキャナ３０によって順次生成された一連の電子読取データについて、処理部１３による結合処理に先立って矛盾状態の確認を行なうことにより、矛盾を包含する電子読取データのグループ化を抑止することができ、信頼性を向上させることができる。
そして、本発明は上述した実施形態に限定されるものではなく、本発明の趣旨を逸脱しない範囲で種々変形して実施することができる。
【０１０１】
例えば、ヘッダセパレータ５１の構成は、上述した実施形態に限定されるものではなく、例えば、上述した実施形態においては、案件情報記載領域５１ａに文字列“abcdef”を、セパレータ情報記載領域５１ｂに文字列“separate”を、ヘッダ情報記載領域５１ｃに文字列“start”をそれぞれ記載しているが、これらに限定されるものではなく、例えば、任意の英数字等の文字や記号を用いることができる。
【０１０２】
また、ヘッダセパレータ５１における、案件情報記載領域５１ａ，セパレータ情報記載領域５１ｂおよびヘッダ情報記載領域５１ｃの各位置は、任意に変更してもよい。
さらに、ヘッダセパレータ５１において、上述した案件情報記載領域５１ａ，セパレータ情報記載領域５１ｂおよびヘッダ情報記載領域５１ｃ以外の情報をそなえてもよく、又、例えば、案件情報記載領域５１ａやセパレータ情報記載領域５１ｂ等の一部の情報を省略してもよい。
【０１０３】
また、ヘッダセパレータ５１に案件情報記載領域５１ａ，セパレータ情報記載領域５１ｂおよびヘッダ情報記載領域５１ｃを形成し、これらの領域にそれぞれ所定の文字列を記載する代わりに、例えば、バーコード（JAN，EAN，UPC，ITF，CODE39，CODE128，NW-7等）や、マトリクス型２次元コード（ＱＲコード，データマトリックス，マキシコード等）等、上述の如きヘッダセパレータ５１としての情報（案件情報，セパレータ情報，ヘッダ識別情報等）をそなえる種々の識別子を、ヘッダセパレータ５１に記載してもよい。
【０１０４】
そして、フッタセパレータ５２についても、ヘッダセパレータ５１と同様に、種々変形して実施することができる。
また、上述した実施形態においては、原稿５０を案件毎に分割するために、ヘッダセパレータ５１とフッタセパレータ５２との２種類のセパレータを用いているが、これに限定されるものではなく、例えば、１種類のセパレータを用いてもよい。すなわち、スキャナ３０の原稿載置台３２に複数の原稿５０をセットする際において、これらの複数の原稿５０における案件と案件との境目にこのセパレータを配置することにより、セパレータによって挟まれた原稿５０を、１の案件にかかる原稿５０として取り扱うのである。
【０１０５】
さらに、ＡＤＦ３１の構成は、上述の構成に限定されるものではなく、種々変形して実施することができ、既知の種々の技術を用いて実現することができる。
例えば、上述した実施形態においては、原稿載置台３２上に積み重ねられた読取対象物のうち、下側のものから、順次、供給ユニット３３によりスキャンユニット３４に搬送・供給されるようになっているが、これに限定されるものではなく、原稿載置台３２上に積み重ねられた読取対象物のうち、上側のものから、順次、供給ユニット３３によりスキャンユニット３４に搬送・供給してもよい。
【０１０６】
このような場合には、オペレータは、先に読取が行なわれるものが上側になるよう、原稿載置台３２に読取対象物をセットする必要があり、原稿載置台３２上において、１の案件に係る原稿５０の束に対して上側にヘッダセパレータ５１を配置するとともに、その原稿５０の束に対して下側にフッタセパレータ５２を載置する。
なお、スキャナ３０の構成は、上述したものに限定されるものではなく、例えば、ＨＤＤ等の記憶装置をそなえ、メモリ３３に格納された電子読取データをこの記憶装置に格納するようにしてもよい。
【０１０７】
また、複数の電子読取データ（画像データ）を１つに結合する手法は、上述の如くデータ管理プログラムを用いて行なう他、例えば、同じグループの原稿５０にかかる複数の電子読取データのそれぞれに、共通の識別情報や属性情報を付加して管理することによっても実現でき、例えば、ＥＸＩＦ（Exchangeable image file format），ＪＦＩＦ（JPEG File Interchange Format），ＮＳＫ  ＴＩＦＦ（日本新聞協会デジタル写真フォーマット）のような規格化されたフォーマットを用いることにより容易に実施することができる。
【０１０８】
上述した実施形態においては、サーバ６０をそなえ、スキャナ３０によって生成された電子読取データをこのサーバ６０によって管理しているが、これに限定されるものではなく、例えば、端末装置１がこのサーバ６０に代えて電子読取データの管理を行なってもよく、又、ＬＡＮ４０に接続された他の情報処理装置によって、この電子読取データの管理を行なってもよい。
【０１０９】
上述した実施形態においては、スキャナ３０によって生成された電子読取データをサーバ６０によって管理しているが、これに限定されるものではなく、例えば、生成された電子読取データを加工して生成したデータや、この電子読取データに基づいて生成されたデータを、サーバ６０等によって管理してもよい。例えば、端末装置１のＯＣＲ機能により、電子読取データにＯＣＲ変換することによって生成したテキストデータを、電子読取データに代えて、もしくは電子読取データとともにサーバ６０等において管理してもよい。
【０１１０】
そして、本発明の実施形態が開示されていれば、本発明を当業者によって実施・製造することが可能である。
また、本発明は、以下に示すように要約することができる。
（付記１）  処理対象の原稿に、当該原稿に先行するようにヘッダセパレータと、当該原稿に後行するようにフッタセパレータとを積層して構成された読取対象物が配置される配置部と、
該配置部に配置された該ヘッダセパレータ，該原稿および該フッタセパレータを、順次、読み取って電子読取データを、順次、生成する読取部と、
該読取部によって生成された該電子読取データに基づいて、ヘッダセパレータおよびフッタセパレータを識別するセパレータ識別部と、
該セパレータ識別部によって該ヘッダセパレータとして識別された該電子読取データと、当該ヘッダセパレータの識別後に、該セパレータ識別部によって該フッタセパレータとして識別された該電子読取データとの間において、該読取部によって読み取られた原稿にかかる該電子読取データを、同一のグループとして取り扱う処理部とをそなえたことを特徴とする、原稿処理システム。
【０１１１】
（付記２）  該ヘッダセパレータおよび該フッタセパレータをそれぞれ識別するための特徴情報をあらかじめ格納する特徴情報保存部をそなえ、
該セパレータ識別部が、該読取部によって生成された該電子読取データと、該特徴情報保存部に格納された該特徴情報とに基づいて、該ヘッダセパレータおよび該フッタセパレータを識別することを特徴とする、付記１記載の原稿処理システム。
【０１１２】
（付記３）  該処理部が、該配置部に該読取対象物が無くなったことを検出し、
読み取られた該読取対象物内に該フッタセパレータが無かったことを検出した後、
該配置部に該読取対象物が配置されたことを検出した場合に、該読取部によって読み取りを実行し、
該読取対象物が無いことを検出した後、該読取部によって読み取って生成された該電子読取データを、該ヘッダセパレータおよび該フッタセパレータに基づいて、１つのグループに結合し管理することを特徴とする、付記１又は付記２記載の原稿処理システム。
【０１１３】
（付記４）  該配置部に、該ヘッダセパレータ，該原稿および該フッタセパレータがそれぞれ複数配置され、
該処理部が、該読取部によって生成された該電子読取データを、前記複数のヘッダセパレータ及び前記複数のフッタセパレータに基づいて、複数のグループに分割することを特徴とする、付記１〜付記３のいずれか１項に記載の原稿処理システム。
【０１１４】
（付記５）  該読取部によって順次生成された一連の該電子読取データに関する該セパレータ識別部による識別結果に基づいて、該原稿，該ヘッダセパレータおよび該フッタセパレータの登場順序によって該原稿に関する矛盾状態を確認する矛盾チェック部をそなえることを特徴とする、付記１〜付記４のいずれか１項に記載の原稿処理システム。
（付記６）  処理対象の原稿に、当該原稿に先行するようにヘッダセパレータと、当該原稿に後行するようにフッタセパレータとを積層して構成された読取対象物を配置する配置ステップと、
該配置ステップにおいて配置された該ヘッダセパレータ，該原稿および該フッタセパレータを、順次、読み取って、電子読取データを、順次、生成する読取ステップと、
該読取ステップにおいて生成された該電子読取データに基づいて、ヘッダセパレータおよびフッタセパレータを識別するセパレータ識別ステップと、
該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとをそなえたことを特徴とする、原稿処理方法。
【０１１５】
（付記７）  該セパレータ識別ステップにおいて、該読取ステップにおいて生成された該電子読取データと、該ヘッダセパレータおよび該フッタセパレータをそれぞれ識別すべく予め生成された、該ヘッダセパレータ及び該フッタセパレータに関する特徴情報とに基づいて、該ヘッダセパレータおよび該フッタセパレータを識別することを特徴とする、付記６記載の原稿処理方法。
【０１１６】
（付記８）  該処理ステップにおいて、該配置ステップにおいて配置された該読取対象物が無くなったことを検出し、
読み取られた該読取対象物内に該フッタセパレータが無かったことを検出した後、
該配置部に該読取対象物が配置されたことを検出した場合に、該読取ステップによる読み取りを実行し、
該読取対象物が無いことを検出した後、該読取ステップにおいて読み取って生成された該電子読取データを、該ヘッダセパレータおよび該フッタセパレータに基づいて、１つのグループに結合し管理することを特徴とする、付記６又は付記７記載の原稿処理方法。
【０１１７】
（付記９）  前記配置ステップにおいて、該ヘッダセパレータ，該原稿および該フッタセパレータがそれぞれ複数配置され、
該処理ステップにおいて、該読取ステップにおいて生成された該電子読取データを、前記複数のヘッダセパレータ及び前記複数のフッタセパレータに基づいて、複数のグループに分割することを特徴とする、付記６〜付記８のいずれか１項に記載の原稿処理方法。
【０１１８】
（付記１０）  該読取ステップにおいて順次生成された一連の該電子読取データに関する該セパレータ識別ステップにおける識別結果に基づいて、該原稿，該ヘッダセパレータおよび該フッタセパレータの登場順序によって該原稿に関する矛盾状態を確認する矛盾チェックステップをそなえることを特徴とする、付記６〜付記９のいずれか１項に記載の原稿処理方法。
【０１１９】
（付記１１）  読取装置を用いて原稿を読み取って、電子読取データとして処理する原稿処理機能をコンピュータに実行させるための原稿処理プログラムであって、
該読取装置を用いて、該原稿に、当該原稿に先行するようにヘッダセパレータと、当該原稿に後行するようにフッタセパレータとを積層して構成された読取対象物を、順次、読み取ることにより、該電子読取データを、順次、生成する読取ステップと、
該読取ステップにおいて生成された該電子読取データに基づいて、ヘッダセパレータおよびフッタセパレータを識別するセパレータ識別ステップと、
該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとを、該コンピュータに実行させることを特徴とする、原稿処理プログラム。
【０１２０】
（付記１２）  該セパレータ識別ステップを該コンピュータに実行させる際に、該読取ステップにおいて生成された該電子読取データと、該ヘッダセパレータおよび該フッタセパレータをそれぞれ識別すべく予め生成された、該ヘッダセパレータ及び該フッタセパレータに関する特徴情報とに基づいて、該ヘッダセパレータおよび該フッタセパレータを識別するように、該コンピュータを機能させることを特徴とする、付記１１記載の原稿処理プログラム。
【０１２１】
（付記１３）  該処理ステップを該コンピュータに実行させる際に、該配置ステップにおいて配置された該読取対象物が無くなったことを検出し、
読み取られた該読取対象物内に該フッタセパレータが無かったことを検出した後、
該配置部に該読取対象物が配置されたことを検出した場合に、該読取ステップによる読み取りを実行し、
該読取対象物が無いことを検出した後、該読取ステップにおいて読み取って生成された該電子読取データを、該ヘッダセパレータおよび該フッタセパレータに基づいて、１つのグループに結合し管理するように、該コンピュータに実行させることを特徴とする、付記１１又は付記１２記載の原稿処理プログラム。
【０１２２】
（付記１４）  前記配置ステップを該コンピュータに実行させる際に、該ヘッダセパレータ，該原稿および該フッタセパレータがそれぞれ複数配置され、
該処理ステップを該コンピュータに実行させる際に、該読取ステップにおいて生成された該電子読取データを、前記複数のヘッダセパレータ及び前記複数のフッタセパレータに基づいて、複数のグループに分割することを特徴とする、付記１１〜付記１３のいずれか１項に記載の原稿処理プログラム。
【０１２３】
（付記１５）  該読取ステップにおいて順次生成された一連の該電子読取データに関する該セパレータ識別ステップにおける識別結果に基づいて、該原稿，該ヘッダセパレータおよび該フッタセパレータの登場順序によって該原稿に関する矛盾状態を確認する矛盾チェックステップを、該コンピュータに実行させることを特徴とする、付記１１〜付記１４のいずれか１項に記載の原稿処理プログラム。
【０１２４】
（付記１６）  読取装置を用いて原稿を読み取って、電子読取データとして処理する原稿処理機能をコンピュータに実行させるための原稿処理プログラムを記録したコンピュータ読取可能な記録媒体であって、
該原稿処理プログラムが、
該読取装置を用いて、該原稿に、当該原稿に先行するようにヘッダセパレータと、当該原稿に後行するようにフッタセパレータとを積層して構成された読取対象物を、順次、読み取ることにより、該電子読取データを、順次、生成する読取ステップと、
該読取ステップにおいて生成された該電子読取データに基づいて、ヘッダセパレータおよびフッタセパレータを識別するセパレータ識別ステップと、
該セパレータ識別ステップにおいて該ヘッダセパレータとして識別された該電子読取データと、当該ヘッダセパレータの識別後に、該セパレータ識別ステップにおいて該フッタセパレータとして識別された該電子読取データとの間において、該読取ステップにおいて読み取られた原稿にかかる該電子読取データを、同一のグループとして取り扱う処理ステップとを、該コンピュータに実行させることを特徴とする、原稿処理プログラムを記録したコンピュータ読取可能な記録媒体。
【０１２５】
（付記１７）  該原稿処理プログラムが、
該セパレータ識別ステップを該コンピュータに実行させる際に、該読取ステップにおいて生成された該電子読取データと、該ヘッダセパレータおよび該フッタセパレータをそれぞれ識別すべく予め生成された、該ヘッダセパレータ及び該フッタセパレータに関する特徴情報とに基づいて、該ヘッダセパレータおよび該フッタセパレータを識別するように、該コンピュータを機能させることを特徴とする、付記１６記載の原稿処理プログラムを記録したコンピュータ読取可能な記録媒体。
【０１２６】
（付記１８）  該原稿処理プログラムが、
該処理ステップを該コンピュータに実行させる際に、該配置ステップにおいて配置された該読取対象物が無くなったことを検出し、
読み取られた該読取対象物内に該フッタセパレータが無かったことを検出した後、
該配置部に該読取対象物が配置されたことを検出した場合に、該読取ステップによる読み取りを実行し、
該読取対象物が無いことを検出した後、該読取ステップにおいて読み取って生成された該電子読取データを、該ヘッダセパレータおよび該フッタセパレータに基づいて、１つのグループに結合し管理するように、該コンピュータに実行させることを特徴とする、付記１６又は付記１７記載の原稿処理プログラムを記録したコンピュータ読取可能な記録媒体。
【０１２７】
（付記１９）  該原稿処理プログラムが、
前記配置ステップを該コンピュータに実行させる際に、該ヘッダセパレータ，該原稿および該フッタセパレータがそれぞれ複数配置され、
該処理ステップを該コンピュータに実行させる際に、該読取ステップにおいて生成された該電子読取データを、前記複数のヘッダセパレータ及び前記複数のフッタセパレータに基づいて、複数のグループに分割することを特徴とする、付記１６〜付記１８のいずれか１項に記載の原稿処理プログラムを記録したコンピュータ読取可能な記録媒体。
【０１２８】
（付記２０）  該原稿処理プログラムが、
該読取ステップにおいて順次生成された一連の該電子読取データに関する該セパレータ識別ステップにおける識別結果に基づいて、該原稿，該ヘッダセパレータおよび該フッタの登場順序によって該原稿に関する矛盾状態を確認する矛盾チェックステップを、該コンピュータに実行させることを特徴とする、付記１６〜付記１９のいずれか１項に記載の原稿処理プログラムを記録したコンピュータ読取可能な記録媒体。
【産業上の利用可能性】
【０１２９】
文書や帳票等、種々の原稿の電子読取データのグループ化に適用できる。
【図面の簡単な説明】
【０１３０】
【図１】本発明の一実施形態としての原稿処理システムの構成を模式的に示す図である。
【図２】本発明の一実施形態としての原稿処理システムにおいて用いられるヘッダセパレータの例を示す図である。
【図３】本発明の一実施形態としての原稿処理システムにおいて用いられるフッタセパレータの例を示す図である。
【図４】本発明の一実施形態としての原稿処理システムにおける特徴情報の登録手法を説明するための図である。
【図５】本発明の一実施形態としての原稿処理システムのスキャナの原稿載置台における、読取対象物のセット例を示す図である。
【図６】（ａ），（ｂ）は本発明の一実施形態としての原稿処理システムのスキャナの原稿載置台における、読取対象物のセット例を示す図である。
【図７】本発明の一実施形態としての原稿処理システムのスキャナの原稿載置台における、読取対象物のセット例を示す図である。
【図８】（ａ），（ｂ）は本発明の一実施形態としての原稿処理システムのスキャナの原稿載置台における、読取対象物のセット例を示す図である。
【図９】本発明の一実施形態としての原稿処理システムにおける原稿の処理手法を説明するためのフローチャートである。
【図１０】従来の原稿管理システムの構成を模式的に示す図である。
【図１１】従来の原稿管理システムの構成を模式的に示す図である。
【符号の説明】
【０１３１】
１    端末装置
１０    ＣＰＵ
１１    セパレータ識別部
１２    矛盾チェック部
１３    処理部
１４    ＨＤＤ（特徴情報保存部）
１５    ヘッダ特徴情報
１６    フッタ特徴情報
１７    原稿特徴情報
１８    ＲＡＭ
１９    ＲＯＭ
２０    キーボード
２１    マウス
２２    ＬＡＮインターフェース
２３    ディスプレイ
３０    スキャナ
３１    ＡＤＦ
３２    原稿載置台（派一部）
３３    供給ユニット
３４    スキャンユニット（読取部）
３５    メモリ
３６    ＬＡＮ  Ｉ／Ｆ
４０    ＬＡＮ
５０    原稿
５１    ヘッダセパレータ
５２    フッタセパレータ
６０    サーバ
６１    ＨＤＤ
１００    原稿処理システム
【図１】
2009033484.tif 000003
【図２】
2009033484.tif 000004
【図３】
2009033484.tif 000005
【図４】
2009033484.tif 000006
【図５】
2009033484.tif 000007
【図６】
2009033484.tif 000008
【図７】
2009033484.tif 000009
【図８】
2009033484.tif 000010
【図９】
2009033484.tif 000011
【図１０】
2009033484.tif 000012
【図１１】
2009033484.tif 000013